(57)【要約】【課題】バンパーを車体に装着したままランプを脱着することのできるバンパーの取付構造を提供する。【解決手段】ランプＬの下面に設けたランプ側係止部２と、バンパーＢの上端に形成したバンパー側係止部３とから成り、ランプ側係止部２とバンパー側係止部３とが係合した状態から、これらを相対的に前または後にスライドさせた際、いずれの場合にもこれらの係合が解除されるよう、バンパーの取付構造１を構成する。ランプ側係止部２及びバンパー側係止部３を構成する係止片がいずれも、車幅方向のみにおいてランプ及びバンパーに連設されるよう構成する。【選択図】図１
2009154831.tif 000002
【特許請求の範囲】
【請求項１】
ランプの下面に設けられたランプ側係止部と、バンパーの上端に形成され、上記ランプ側係止部に係脱可能なバンパー側係止部とを有するバンパーの取付構造であって、
上記ランプ側係止部は、車幅方向のみにおいてランプに連設された第一の係止片から成り、
上記バンパー側係止部は、車幅方向のみにおいてバンパーに連設され、上記第一の係止片に係脱可能な第二の係止片から成り、
上記ランプ側係止部と上記バンパー側係止部とが係合した状態から、これらを相対的に前及び後のいずれにスライドさせた場合にもこれらの係合が解除されることを特徴とする、バンパーの取付構造。
【請求項２】
前記ランプ側係止部及び前記バンパー側係止部は、一方が車幅方向外側へ突出した一対のメール係止片を、他方は車幅方向内側へ突出した一対のヒメール係止片を備えることを特徴とする、請求項１に記載のバンパーの取付構造。
【請求項３】
前記第一の係止片及び前記第二の係止片は、互いに係脱可能な位置決め機構を備えることを特徴とする、請求項１または２に記載のバンパーの取付構造。
【請求項４】
前記位置決め機構は、係止孔と、該係止孔に対し弾性的に係脱可能な係止爪とから成ることを特徴とする、請求項３に記載のバンパーの取付構造。
【発明の詳細な説明】
【技術分野】
【０００１】
本発明は車両のバンパーに係り、特に、バンパーを自動車のボディへ取り付ける構造に関する。
【背景技術】
【０００２】
従来、バンパーとテールランプ等のランプとの隙間を一定にし、この隙間についての精度を高めるために、バンパーリテーナが設定されている。このようなバンパーリテーナは、ランプとの関係が近いほどバンパーとランプとの隙間の精度を高めることができる。このため、ランプと一体に形成された、いわゆるランプ一体型バンパーリテーナが提供されている。特許文献１には、このようなランプ一体型バンパーリテーナの一例が開示されている。
【０００３】
ランプ一体型バンパーリテーナは、図３〜４に示すように、ランプＬの下面にランプＬと一体に設けられるクリップ状のランプ側係止部１０１を有し、このランプ側係止部１０１とバンパーＢの上端に形成されるバンパー側係止部１０２とが係合することにより、バンパーをランプＬ直下に保持し、位置決めするものである。ランプ側係止部１０１及びバンパー側係止部１０２は複数組が略等間隔で設けられる。なお、ランプ側係止部１０１はランプＬと一体形成される場合と別体に形成されランプ下部に取り付けられる場合とがあるが、いずれの場合でも構造は同様である。
【０００４】
具体的には、ランプ側係止部１０１は、ランプ下端から垂下した立壁１０１ａと、立壁１０１ａの下端から前方へ延びるよう連設され、前端が下方へ傾斜した水平部１０１ｂとランプＬ下面から水平部１０１ｂの方へ突出した係止爪１０１ｃとからなる。一方、バンパー側係止部１０２は、バンパーＢの上端に形成された舌片１０２ａからなり、舌片１０２ａはその中央付近に係合孔１０２ｂを有する。
【０００５】
バンパーＢを自動車のボディに装着する際、この舌片１０２ａをランプＬ下面と水平部１０１ｂとの隙間に挿入し、係止爪１０１ｃを係合孔１０２ｂに係合させることで、バンパー側係止部１０２がランプ側係止部１０１に係止され、バンパーＢがランプＬに対し位置決めされる。このため、バンパーＢとランプＬとの隙間Ｓを一定に確保することができる。
【特許文献１】特開２０００−２６４１４５号公報
【発明の開示】
【発明が解決しようとする課題】
【０００６】
しかしながら、このようなランプ一体型バンパーリテーナを採用した自動車では、バンパーを外した状態でなければランプを外すことができない。なぜなら、ランプを車両外方向へ移動させれば、バンパー側係止部１０２の舌片１０２ａがランプ側係止部１０１の立壁１０１ａに当接してしまい、それ以上の外方向への移動が制限されるからである。
【０００７】
そのため、ランプＬを修理等で外す際には、予めバンパーＢを車両から外すか、もしくはバンパーを弾性変形させてバンパー側係止部１０２とランプ側係止部１０１との係合を解除し、その状態でランプＬを外す必要があった。このような作業には手間がかかることに加え、誤ってバンパーを傷つけたり、バンパーリテーナを破損させたりする恐れがあった。
【０００８】
本発明は、上記問題点に鑑みてなされたものであり、バンパーを車体に装着したままランプを脱着することのできる、バンパーの取付構造を提供することを目的とする。
【課題を解決するための手段】
【０００９】
上記目的を達成するため、本発明は、ランプの下面に設けられたランプ側係止部とバンパーの上端に形成されランプ側係止部に係脱可能なバンパー側係止部とを有するバンパーの取付構造であって、ランプ側係止部は、車幅方向のみにおいてランプに連設された第一の係止片から成り、バンパー側係止部は、車幅方向のみにおいてバンパーに連設され第一の係止片に係脱可能な第二の係止片から成り、ランプ側係止部とバンパー側係止部とが係合した状態から、これらを相対的に前及び後のいずれにスライドさせた場合にもこれらの係合が解除されることを特徴とする。
【００１０】
ランプ側係止部及びバンパー側係止部はそれぞれ、車幅方向外側へ突出した一対のメール係止片と車幅方向内側へ突出した一対のヒメール係止片とのいずれかを相互排他的に備えることが望ましい。
【００１１】
第一の係止片及び前記第二の係止片は、互いに係脱可能な位置決め機構を備えることが望ましい。
【００１２】
位置決め機構は、係止孔とこの係止孔に対し弾性的に係脱可能な係止爪とから成ることが望ましい。
【発明の効果】
【００１３】
本発明のバンパーの取付構造によれば、ランプ側係止部及びバンパー側係止部を構成する第一及び第二の係止片がいずれも、車幅方向のみにおいてランプ及びバンパーに連設されていることにより、第一及び第二の係止片を互いに車両前後方向へスライドすることが可能であり、バンパーを車体に装着したままランプを脱着することができる。
【００１４】
第一の係止片及び前記第二の係止片は、互いに係脱可能な位置決め機構を備えることにより、バンパーをランプに対し容易に位置決めすることができる。
【００１５】
位置決め機構が係止孔とこの係止孔に対し弾性的に係脱可能な係止爪とから成る場合には、弾性力を利用して、第一及び第二の係止片を互いに車両前後方向へスライドするだけでバンパーをランプに対し容易に位置決めし、その解除をすることができる。
【発明を実施するための最良の形態】
【００１６】
以下、本発明の好ましい実施の形態を添付図面を参照しながら詳細に説明する。なお、図中におけるＦｒは車輌前方を、Ｕｐは上方を表す。本実施形態ではリア側のバンパーの取付構造について説明する。図１、２に示すように、バンパーの取付構造１は、ランプＬ（図１では図示省略）の下面に設けられたランプ側係止部２と、バンパーＢの上端に形成されたバンパー側係止部３とから成り、ランプ側係止部２とバンパー側係止部３とが係合した状態から、これらを相対的に前または後にスライドさせた際、いずれの場合にもこれらの係合が解除されるよう構成されている。なお、ランプ側係止部２はランプＬと一体形成される場合と別体に形成されランプ下部に取り付けられる場合とがあるが、いずれの場合でも構造は同様である。
【００１７】
このような構成は、ランプ側係止部２及びバンパー側係止部３を構成する係止片がいずれも、車幅方向のみにおいてランプ及びバンパーに連設されていることにより実現する。すなわち、第一及び第二の係止片はいずれも車両前後方向においてランプ及びバンパーに連設されておらず、従来例のランプ側係止部１０１における立壁１０１ａのような、互いの障害物となる部分が存在しないことにより、ランプ側係止部２とバンパー側係止部３とが係合した状態から相対的に前または後にスライドすることが可能となっている。
【００１８】
より具体的には、第一の係止片としてのランプ側係止部２は、ランプＬの下面に設けられ、車幅方向外側へ突出した一対のメール係止片２１ａ，２１ｂを有する。メール係止片２１ａ，２１ｂは、ランプＬの下面から垂下する左右の立壁部２２ａ，２２ｂと、この立壁部２２ａ，２２ｂの下端に連設され、車幅方向外側へ突出する左右の水平部２３ａ，２３ｂとから成る。左右の水平部２３ａ，２３ｂは、中央部分に位置決め機構としての係止爪２４ａ，２４ｂを備えている。この係止爪２４ａ，２４ｂは、左右の水平部２３ａ，２３ｂの上面よりも少し上方へ突出したＡ―Ａ断面視山型の爪部材であり、すなわち車両前後方向に斜面が形成されている。素材に由来する弾性から、下方へ押圧された際は左右の水平部２３ａ，２３ｂの上面と同一面以下まで弾性変形することができる。水平部２３ａ，２３ｂの端部は後述するバンパー側係止部３の立壁部３２ａ，３２ｂとの干渉を避けるため、前後の角が取られ、すなわち面取り２５ａ，２５ｂ，２５ｃ，２５ｄがされている。
【００１９】
一方、第二の係止片としてのバンパー側係止部３は、バンパーＢの上端に形成され、車幅方向内側へ突出した一対のヒメール係止片３１ａ，３１ｂを有する。ヒメール係止片３１ａ，３１ｂは、バンパーＢの上端に垂立する左右の立壁部３２ａ，３２ｂと、この立壁部３２ａ，３２ｂの上端に連設され、車幅方向内側へ突出する左右の水平部３３ａ，３３ｂとから成る。左右の水平部３３ａ，３３ｂは、中央部分に位置決め機構としての係止孔３４ａ，３４ｂを備えている。この係止孔３４ａ，３４ｂは、係止爪２４ａ，２４ｂを受容する孔であり、係止爪２４ａ，２４ｂを受容した際にほぼ遊びが生じないよう、係止爪２４ａ，２４ｂに対応した大きさ及び形状を有する。
【００２０】
次に、ランプ側係止部２とバンパー側係止部３とを係合させてバンパーをボディに対して取り付け、位置決めする方法について説明する。
図２（Ａ）に示すように、ランプＬを自動車のボディに装着した状態で、ランプ側係止部２にバンパー側係止部３を係止させ、バンパーを車両前方向へスライドさせてボディに装着する。詳細には、ランプ側係止部２の水平部２３ａ，２３ｂとランプＬの下面との隙間にバンパー側係止部３の水平部３３ａ，３３ｂが嵌入するようにバンパーをスライドさせる。すると、図２（Ｂ）に示すように、係止爪２４ａ，２４ｂが係止孔３４ａ，３４ｂに係合する。この状態において、バンパーＢがランプＬ及び自動車のボディに対して位置決めされ、バンパーＢとランプＬとの間の見切りＳ１を一定にすることができる。
【００２１】
バンパーの修理などでバンパーを車両から取り外す際は、上述の取り付け手順と逆の手順により行う。すなわち、バンパーを後方へスライドさせる。すると、バンパー側係止部３の水平部３３ａ，３３ｂがランプ側係止部２の水平部２３ａ，２３ｂとランプＬの下面との隙間を後方へスライドする。このとき、係止爪２４ａ，２４ｂはＡ―Ａ断面視山型の弾性部材であることから、山型を構成する斜面に加わる後方への力の分力により下方へ弾性変形し、係止孔３４ａ，３４ｂとの係合が解除される。そして、図２（Ａ）に示すように、バンパー側係止部３の水平部３３ａ，３３ｂがランプ側係止部２の水平部２３ａ，２３ｂとランプＬの下面との隙間から脱出し、バンパーを車両から取り外すことができる。
【００２２】
一方、本実施形態のバンパーの取付構造１によれば、ランプＬの修理などの際、バンパーＢを取り外すことなくランプＬを取り外すことができる。具体的な方法としては、まずランプＬを後方へスライドさせる。すると、ランプ側係止部２の水平部２３ａ，２３ｂがランプＬと共にバンパー側係止部３の水平部３３ａ，３３ｂに沿って後方へスライドする。このとき、係止爪２４ａ，２４ｂはＡ―Ａ断面視山型の弾性部材であることから、山型を構成する斜面に加わる前方への力の分力により下方へ弾性変形し、係止孔３４ａ，３４ｂとの係合が解除される。そして、図２（Ｃ）に示すように、バンパー側係止部３の水平部３３ａ，３３ｂがランプ側係止部２の水平部２３ａ，２３ｂとランプＬの下面との隙間から脱出し、ランプを車両から取り外すことができる。取り外したランプＬを再度車両に取り付ける際は、この手順を逆に行えばよい。
【００２３】
以上説明したように、本発明のバンパーの取付構造は、ランプの下面に設けられたランプ側係止部と、バンパーの上端に形成されたバンパー側係止部とから成り、ランプ側係止部とバンパー側係止部とが係合した状態から、これらを相対的に前または後にスライドさせた際、いずれの場合にもこれらの係合が解除されるよう構成されたものであり、その主旨を逸脱しない範囲内において様々な形態で実施することができる。例えば、バンパー側係止部とランプ側係止部との形状を入れ替えてもよいし、係止孔と係止爪との関係は逆であってもよい。また、本発明はフロントバンパーにも適用し得る。
【図面の簡単な説明】
【００２４】
【図１】本発明の実施形態に係るバンパーの取付構造を示す斜視図である。
【図２】図１におけるＡ−Ａ断面図であり、（Ａ）はバンパーを取り外した状態、（Ｂ）はバンパーを取り付けた状態、（Ｃ）はランプを取り外した状態を示す。
【図３】従来例のバンパーの取付構造を示す斜視図であり、（Ａ）はランプ側係止部、（Ｂ）はバンパー側係止部を示す。
【図４】図３におけるバンパー側係止部をランプ側係止部に係合した状態を示すＡ−Ａ断面図である。
【符号の説明】
【００２５】
１      取付構造
２      ランプ側係止部
３      バンパー側係止部
２１ａ，２１ｂ  メール係止片
２２ａ，２２ｂ  立壁部
２３ａ，２３ｂ  水平部
２４ａ，２４ｂ  係止爪
３１ａ，３１ｂ  ヒメール係止片
３２ａ，３２ｂ  立壁部
３３ａ，３３ｂ  水平部
３４ａ，３４ｂ  係止孔
Ｂ      バンパー
Ｌ      ランプ
Ｓ      隙間
【図１】
2009154831.tif 000003
【図２】
2009154831.tif 000004
【図３】
2009154831.tif 000005
【図４】
2009154831.tif 000006